(57)【要約】【課題】  ＷＤＭ網におけるパス設定データの復元に関する問題を合理的に解決する。【解決手段】  ノード装置１０は、パスを介して伝送される光波長を検出する波長検出部１１０と、接続先ノード装置を検出する接続ノード検出部１１１と、接続情報を格納する接続情報格納部１１２と、接続情報をＮＭＳ端末２０に送信する接続情報送信部１１３と、ＮＭＳ端末２０から受信したパス設定データにもとづきパス設定を行うパス設定部１１４と、を備え、ＮＭＳ端末２０は、ノード装置１０から接続情報を受信する接続情報受信部２２０と、接続情報にもとづきノード装置１０のパス設定データを生成するパス設定データ生成部２２１と、パス設定データをノード装置１０に送信するパス設定データ送信部２２２と、からなる構成としてある。【選択図】      図１
2010141523.tif 000002
【特許請求の範囲】
【請求項１】
異なる波長ごとに光波の伝送を行う二以上のノード装置と、前記光波の伝送路を形成するために前記ノード装置ごとに所定のパス設定データを設定する通信管理装置とを備え、
前記各ノード装置は、
当該ノード装置を含んで形成される伝送路を介して伝送される光波の波長を検出する波長検出手段と、
前記伝送路の接続先ノード装置を検出する接続ノード検出手段と、
前記波長及び前記接続先ノード装置を示す所定の接続情報を格納する接続情報格納手段と、
前記接続情報を前記通信管理装置に送信する接続情報送信手段と、
前記通信管理装置から受信したパス設定データにもとづき伝送路の設定を行うパス設定手段と、を備え、
前記通信管理装置は、
各ノード装置から前記接続情報を受信する接続情報受信手段と、
受信した前記接続情報にもとづき対象ノード装置に関する所定のパス設定データを生成するパス設定データ生成手段と、
生成された前記パス設定データを前記対象ノード装置に送信するパス設定データ送信手段と、
を備えることを特徴とする通信網管理システム。
【請求項２】
前記ノード装置は、
前記波長検出手段が、当該ノード装置を含んで形成される伝送路を介して伝送される光波の出力側の波長と入力側の波長とを検出し、
前記接続情報格納手段が、前記出力側の波長及び前記入力側の波長並びに前記接続先ノード装置を示す所定の接続情報を格納する請求項１記載の光通信網管理システム。
【請求項３】
前記パス設定データ生成手段は、
前記接続情報受信手段が受信したノード装置に関する接続情報に出力側の波長のみが含まれる場合には、そのノード装置を始点とする前記パス設定データを生成する請求項２記載の通信網管理システム。
【請求項４】
前記パス設定データ生成手段は、
前記接続情報受信手段が受信したノード装置に関する接続情報に入力側の波長のみが含まれる場合には、そのノード装置を終点とする前記パス設定データを生成する請求項２又は３記載の通信網管理システム。
【請求項５】
前記パス設定データ生成手段は、
前記接続情報受信手段が受信したノード装置に関する接続情報に出力側の波長と入力側の波長とがともに含まれる場合には、そのノード装置を中継する入力側の前記パス設定データと出力側の前記パス設定データとを生成する請求項２乃至４のいずれか一項記載の通信網管理システム。
【請求項６】
前記パス設定データ生成手段は、
前記接続情報受信手段が受信したノード装置に関する接続情報に出力側の波長及び入力側の波長が二組以上含まれる場合には、そのノード装置は対応する二以上のノード装置から構成されるものとみなして前記パス設定データを生成する請求項２乃至５のいずれか一項記載の通信網管理システム。
【請求項７】
前記ノード装置は、
出力又は入力する光波に対して当該光波の波長と異なる他の波長の光波に変換して出力又は入力する波長変換手段を備え、
前記波長検出手段が、
当該ノード装置を含んで形成される伝送路の当該ノード装置内に介在する前記波長変換手段が出力する光波に対して波長変換を行う場合にはその波長変換後の波長を出力側の波長として検出し、前記波長変換手段が入力する光波に対して波長変換を行う場合にはその波長変換前の波長を入力側の波長として検出する請求項２乃至６のいずれか一項記載の通信網管理システム。
【請求項８】
当該装置を含んで形成される伝送路を介して伝送される光波の波長を検出する波長検出手段と、
前記伝送路の接続先の波長分割多重装置を検出する接続ノード検出手段と、
前記波長及び前記接続先の波長分割多重装置を示す所定の接続情報を格納する接続情報格納手段と、
前記接続情報にもとづき所定の通信管理装置に所定のパス設定データを生成させる手段と、
前記通信管理装置が生成したパス設定データにもとづき伝送路の設定を行う手段と、
を備えることを特徴とする波長分割多重装置。
【請求項９】
前記波長検出手段が、当該装置を含んで形成される伝送路を介して伝送される光波の出力側の波長と入力側の波長とを検出し、
前記接続情報格納手段が、前記出力側の波長及び前記入力側の波長並びに前記接続先の波長分割多重装置を示す所定の接続情報を格納する請求項８記載の波長分割多重装置。
【請求項１０】
所定のノード装置を含んで形成される伝送路を介して伝送される光波の波長及びその接続先ノード装置を含む所定の接続情報を各ノード装置から受信する接続情報受信手段と、
受信した前記接続情報にもとづき対象ノード装置に関する所定のパス設定データを生成するパス設定データ生成手段と、
生成された前記パス設定データにもとづき前記対象ノード装置に伝送路を設定させる手段と、
を備えることを特徴とする通信管理装置。
【請求項１１】
前記接続情報受信手段が、所定のノード装置を含んで形成される伝送路を介して伝送される光波の出力側の波長及び入力側の波長並びにその接続先ノード装置を示す接続情報を各ノード装置から受信する請求項１０記載の通信管理装置。
【請求項１２】
所定のノード装置を含んで形成される伝送路を介して伝送される光波の波長を検出する波長検出ステップと、
前記伝送路の接続先ノード装置を検出する接続ノード検出ステップと、
前記波長及び前記接続先ノード装置を示す所定の接続情報を格納する接続情報格納ステップと、
前記接続情報にもとづき所定の通信管理装置にパス設定データを生成させるステップと、
前記通信管理装置から受信したパス設定データにもとづき伝送路の設定を行うステップと、を有することを特徴とする通信網管理方法。
【請求項１３】
前記波長検出ステップが、所定のノード装置を含んで形成される伝送路を介して伝送される光波の出力側の波長と入力側の波長とを検出し、
前記接続情報格納ステップが、前記出力側の波長及び前記入力側の波長並びに前記接続先ノード装置を示す接続情報を格納する請求項１２記載の通信網管理方法。
【請求項１４】
異なる波長ごとに光波の伝送を行うノード装置を管理する所定のコンピュータにインストールされる通信網管理プログラムであって、
前記コンピュータを、
前記ノード装置を含んで形成される伝送路を介して伝送される光波の波長を検出する波長検出手段、
前記伝送路の接続先ノード装置を検出する接続ノード検出手段、
前記波長及び前記接続先ノード装置を示す所定の接続情報を格納する接続情報格納手段、
前記接続情報にもとづき所定の通信管理装置にパス設定データを生成させる手段、
前記通信管理装置が生成したパス設定データにもとづき伝送路の設定を行う手段、
として機能させるための通信網管理プログラム。
【請求項１５】
前記波長検出手段を、前記ノード装置を含んで形成される伝送路を介して伝送される光波の出力側の波長と入力側の波長とを検出する手段、
前記接続情報格納手段を、前記出力側の波長及び前記入力側の波長並びに前記接続ノード検出手段によって検出された接続先ノード装置を示す接続情報を格納する手段、として機能させるための請求項１４記載の通信網管理プログラム。
【発明の詳細な説明】
【技術分野】
【０００１】
本発明は、通信網管理システム、波長分割多重装置、通信管理装置、通信網管理方法及び通信網管理プログラムに関し、より詳しくは、パス設定に必要な接続情報を各ノードが保持することによって冗長なパス設定機能を有する通信網管理システム、波長分割多重装置、通信管理装置、通信網理方法及び通信網管理プログラムに関する。
【背景技術】
【０００２】
昨今、情報処理装置等によって取り扱うデータ量が増え、さらにその迅速な処理が要求されていることから、光通信網の再構築が求められている。
このような要求に対応するため、光ファイバーケーブルの増設や光伝送装置（ＳＤＨ装置等）の改良等が行われてきた。
しかしながら、これらの方法は費用対効果が低く、また、導入までのスピードにも課題があった。
【０００３】
そこで、最近では、光ファイバーケーブルのさらなる有効活用が図れる波長分割多重方式（WDM：Wavelength  Division  Multiplex。以下、ＷＤＭと呼称する。）による通信網（以下、ＷＤＭ網と呼称する。）が提供されるようになってきた。
ＷＤＭは、光波長の非干渉性を利用した多重化方式であり、分割波長の数に比例して転送可能な情報量が増大するため、大容量の通信を効率よく実現する方式として期待されている。
特に、ＷＤＭ網は大陸間を結ぶ海底ケーブル等、ネットワークの基幹網として利用されることが多いため、ＷＤＭ網を構成するＷＤＭ装置、ケーブル、基地局等に関する保守・運用は極めて重要なものとなっている。
【０００４】
このため、ＷＤＭ網においては、アラーム監視や障害時の対応などを目的としていわゆる通信管理システム（Network  Management  System。以下、ＮＭＳと呼称する。）が導入されており、専用の情報処理端末（以下、ＮＭＳ端末と呼称する。）を介してアラーム情報の抽出や分析等ができるようになっている。
また、ＮＭＳは、パス設定に関する接続情報（波長、接続先ノードに関するデータ）のデータベースを備えており、リモート操作により一元的にパス設定・変更をできるようになっている。
このように、ＮＭＳは、ＷＤＭ網の信頼性、利便性を高めるうえで欠かせないシステムであるが、ＮＭＳに依存するところが大きくその弊害も種々存在する。
【０００５】
以下、ＮＭＳに関する問題点、具体的にはＮＭＳ自身に何らかの障害が発生した場合の問題点について図面を参照しながら説明を行う。
図８は、ＮＭＳを有するＷＤＭ網において一つの光波パスで構成されるエンドツーエンドパスの従来例を示したネットワーク構成図である。
また、図９は、図８のエンドツーエンドパスのパス接続情報を示したデータテーブルである。
これらの図に示すように、波長λ５という単一波長にもとづいてノード装置１０ｈ→ノード装置１０ｉ→ノード装置１０ｊといった方路の光波パスが設定されているものとする。
そして、不正アクセス等によりＮＭＳのパス設定データが消失し、各ノード装置に設定していたパスも消滅したものとする。
【０００６】
そこで、ＮＭＳ端末２０は、システム初期化後、まず、ノード装置１０ｈに着目し波長λ５の出力を認識することができる。ＮＭＳ端末２０は、波長λ５のＷＤＭ信号の出力先がノード装置１０ｉであることを認識することができるので次にノード装置１０ｉに着目する。
次いで、ＮＭＳ端末２０は、ノード装置１０ｉにおいて波長λ５の出力を認識することができる。ＮＭＳ端末２０は、波長λ５のＷＤＭ信号の出力先がノード装置１０ｊであることを認識することができるので次にノード装置１０ｊに着目する。
そして、ＮＭＳ端末２０は、ノード装置１０ｊにおいて波長λ５に関する出力の認識を試みるがこれを認識することができないため、ノード装置１０ｊがパスの終点であることを認識することができる。
以上のことから、ＮＭＳ端末２０は、ノード装置１０ｈを始点として、ノード装置１０ｉを経由し、ノード装置１０ｊを終点とする単一波長（λ５）のパス設定データを生成し元のエンドツーエンドパスを復元できるようになる。
【０００７】
次に、複数の光波パスで構成されるＷＤＭ網について図１０及び図１１を参照しながら説明を行う。
図１０は、ＮＭＳを有するＷＤＭ網において複数の光波パスで構成されるエンドツーエンドパスの従来例を示したネットワーク構成図である。
また、図１１は、図１０のエンドツーエンドパスのパス接続情報を示したデータテーブルである。
具体的には、ノード装置１０ｋ〜ノード装置１０ｌ間の光波パス（波長λ６）、ノード装置１０ｍにおける波長変換、ノード装置１０ｍ〜ノード装置１０ｎ間の光波パス（λ７）によって一連の光学的伝送路が設定されているものとする。
そして、上述と同様、ＮＭＳのパス設定データが消失し、各ノード装置に設定していたパスも消滅したものとする。
【０００８】
そこで、ＮＭＳ端末２０は、まず、ノード装置１０ｋに着目し波長λ６の出力を認識することができる。ＮＭＳ端末２０は、波長λ６のＷＤＭ信号の出力先がノード装置１０ｌであることを認識することができるので次にノード装置１０ｌに着目する。
しかしながら、ＮＭＳ端末２０は、ノード装置１０ｌにおいて波長λ６に関する出力の認識を試みるがこれを認識することができないため、ノード装置１０ｌがパスの終点であると誤認識してしまう。
つまり、本例のように複数の光波パスが設定されているケースでは、ＮＭＳのパス設定データが消失した際、元の波長パスは容易に復元できない。
すなわち、ＷＤＭ網を構成するパスの構成如何によっては、ネットワークの復元に多大な時間を要し、各方面に甚大な損害や影響をもたらすこととなってしまう。
【０００９】
そこで、特許文献１には、各ノードが自ノードに接続されるリンクの使用状況と他ノードで観測されたリンクの使用状況とにもとづき波長パスを算出・設定する波長パス通信網が開示されている。
また、特許文献２には、発ノードが、着ノードと中継ノードのリソース使用状況にもとづき一以上の推奨波長パス情報を着ノードに送信し、次いで、着ノードが、利用可能な推奨波長パスを選択し、その推奨波長パスで用いるリソースを自ノードに設定するとともに所定の選択パス通知を中継ノード及び発ノードに送信し、そして、発ノード及び中継ノードでは、受信した選択パス通知に係るリソースを自ノードに設定する光波長パス設定方法が開示されている。
つまり、これら特許文献１や特許文献２には、ＮＭＳを用いずに各ノードが自律的に波長パスの設定を行う技術が提案されている。
【００１０】
【特許文献１】特開２００３−２３５０６１号公報
【特許文献２】特開２００３−２３４７７１号公報
【発明の開示】
【発明が解決しようとする課題】
【００１１】
しかしながら、上述した特許文献１や特許文献２に開示される技術においては、ＮＭＳを必ずしも必要としないものの、ノードが高機能化されることによる以下の弊害が考えられる。
すなわち、各ノードは、自律的に回線設定を行う構成であるため、必然的にメモリやプロセッサの負荷が増大し、本来の通信処理におけるパフォーマンスを低下させるおそれがある。
さらに、このようなパフォーマンス低下を回避すべく高機能なプロセッサやメモリを導入したとしても、コスト面で新たな課題が発生する。
また、各ノードは、他のノードとの間で必要なデータの送受信を行ったうえでパス設定を行うため、サービス開始までの待ち時間が長く、緊急時の対応に問題がある。
【００１２】
本発明の目的は、上述した問題、すなわち、ＷＤＭ網におけるパス設定データの復元に関する問題を合理的に解決する通信網管理システム、波長分割多重装置、通信管理装置、通信網管理方法及び通信網管理プログラムを提供することにある。
【課題を解決するための手段】
【００１３】
上記目的を達成するため、本発明の通信網管理システムは、異なる波長ごとに光波の伝送を行う二以上のノード装置と、前記光波の伝送路を形成するために前記ノード装置ごとに所定のパス設定データを設定する通信管理装置とを備え、前記各ノード装置は、当該ノード装置を含んで形成される伝送路を介して伝送される光波の波長を検出する波長検出手段と、前記伝送路の接続先ノード装置を検出する接続ノード検出手段と、前記波長及び前記接続先ノード装置を示す所定の接続情報を格納する接続情報格納手段と、前記接続情報を前記通信管理装置に送信する接続情報送信手段と、前記通信管理装置から受信したパス設定データにもとづき伝送路の設定を行うパス設定手段と、を備え、前記通信管理装置は、各ノード装置から前記接続情報を受信する接続情報受信手段と、受信した前記接続情報にもとづき対象ノード装置に関する所定のパス設定データを生成するパス設定データ生成手段と、生成された前記パス設定データを前記対象ノード装置に送信するパス設定データ送信手段と、を備えた構成としてある。
【００１４】
また、本発明の波長分割多重装置は、当該装置を含んで形成される伝送路を介して伝送される光波の波長を検出する波長検出手段と、前記伝送路の接続先の波長分割多重装置を検出する接続ノード検出手段と、前記波長及び前記接続先の波長分割多重装置を示す所定の接続情報を格納する接続情報格納手段と、前記接続情報にもとづき所定の通信管理装置に所定のパス設定データを生成させる手段と、前記通信管理装置が生成したパス設定データにもとづき伝送路の設定を行う手段と、を備えた構成としてある。
【００１５】
また、本発明の通信管理装置は、所定のノード装置を含んで形成される伝送路を介して伝送される光波の波長及びその接続先ノード装置を含む所定の接続情報を各ノード装置から受信する接続情報受信手段と、受信した前記接続情報にもとづき対象ノード装置に関する所定のパス設定データを生成するパス設定データ生成手段と、生成された前記パス設定データにもとづき前記対象ノード装置に伝送路を設定させる手段と、を備えた構成としてある。
【００１６】
さらに、本発明の通信網管理方法は、所定のノード装置を含んで形成される伝送路を介して伝送される光波の波長を検出する波長検出ステップと、前記伝送路の接続先ノード装置を検出する接続ノード検出ステップと、前記波長及び前記接続先ノード装置を示す所定の接続情報を格納する接続情報格納ステップと、前記接続情報にもとづき所定の通信管理装置にパス設定データを生成させるステップと、前記通信管理装置から受信したパス設定データにもとづき伝送路の設定を行うステップと、を有する方法としてある。
【００１７】
そして、本発明の通信網管理プログラムは、異なる波長ごとに光波の伝送を行うノード装置を管理する所定のコンピュータにインストールされる通信網管理プログラムであって、前記コンピュータを、前記ノード装置を含んで形成される伝送路を介して伝送される光波の波長を検出する波長検出手段、前記伝送路の接続先ノード装置を検出する接続ノード検出手段、前記波長及び前記接続先ノード装置を示す所定の接続情報を格納する接続情報格納手段、前記接続情報にもとづき所定の通信管理装置にパス設定データを生成させる手段、前記通信管理装置が生成したパス設定データにもとづき伝送路の設定を行う手段、として機能させるためのプログラムとしてある。
【発明の効果】
【００１８】
本発明の通信網管理システム、波長分割多重装置、通信管理装置、通信網管理方法及び通信網管理プログラムによれば、パス設定データを分散して保持することにより、光波パスを迅速かつ確実に設定することができる。
したがって、万一、ＷＤＭ網がシステムダウンした場合等においても円滑に元のネットワークを復元することができる。
【発明を実施するための最良の形態】
【００１９】
以下、本発明の好ましい実施形態について図１〜図５を参照して説明する。
ここで、以下に示す本実施形態の通信網管理システムは、プログラム（ソフトウェア）の命令によりコンピュータで実行される処理，手段，機能によって実現される。通信網管理プログラムは、コンピュータの各構成要素に指令を送り、以下に示すような所定の処理・機能を行わせる。すなわち、本実施形態の通信網管理システム、波長分割多重装置、通信管理装置、通信網管理方法における各処理・手段は、通信網管理プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００２０】
［第一実施形態］
図１は、本発明の第一実施形態に係る通信網管理システム１ａの構成を示すネットワーク構成図である。
同図に示すように、本実施形態に係る通信網管理システム１は、複数のノード装置１０及び光リンク３０によって構成されるＷＤＭ網上の管理システムであり、具体的にはノード装置１０ａにＮＭＳ端末２０が接続されることによってＷＤＭ網全体を一元管理できる構成となっている。
又、本実施形態においては、複数の光波パスを直列的に接続することによって一連の光学的伝送路を形成する必要があるため、ノード１０ｃにおいて波長変換を行うようにしている。
そこで、まず、ノード装置１０とＮＭＳ端末２０の構成について図２及び図３を参照しながら説明を行う。
【００２１】
（ノード装置１０）
図２は、本実施形態に係るノード装置１０の構成を示すブロック図である。
同図に示すとおり、本実施形態に係るノード装置１０は、ＷＤＭ網を形成するためのＷＤＭ装置であり、光増幅部１３０及び光リンク３０を介して各ノード装置間が接続されるようになっている。
【００２２】
ＭＵＸ／ＤＥＭＵＸ部１２０は、光カプラや光スプリッタといった光合分波器により波長多重又は分割を行う。
具体的には、ＭＵＸ／ＤＥＭＵＸ部１２０と光増幅部１３０とは光学的に接続されており、受信した光信号を複数の波長毎に分離して低速Ｉ／Ｆ部１５０に送出する構成となっている。
一方、低速Ｉ／Ｆ部１５０に収容される複数の光波を波長多重し光増幅部１３０が増幅した光信号を他のノード装置１０に出力する構成となっている。
また、低速Ｉ／Ｆ部１５０は、波長変換手段１６０を備えており、波長変換を行うことによって波長の異なる複数の光波パスを光学的に接続し得る機能を備えている。
【００２３】
さらに、ノード装置１０は、ＮＭＳ  Ｉ／Ｆ部１４０を備えており、ＬＡＮケーブル等を介してＮＭＳ端末２０に接続する構成となっている。
また、パス設定部１１４は、ＮＭＳ端末２０からの要求に応じて当該ノード装置１０におけるパス（光波パス）を設定するようになっている。
【００２４】
上記構成に加え、本実施形態に係るノード装置１０は、波長検出部１１０、接続ノード検出部１１１、接続情報格納部１１２及び接続情報送信部１１３を有しているところに特徴を有している。
波長検出部１１０は、自己のノード装置１０に現在設定されている光波パス（伝送路）の波長を検出するものである。
「波長」の情報としては、波長の異同を認識できる情報であればよく、例えば、波長番号などの識別データが望ましい。
波長情報としては、出力側のパスの波長と入力側のパスの波長とを検出するようにしている。
なお、前述の通り、低速Ｉ／Ｆ部１５０は波長変換手段１６０を備えており、出力側のパスが波長変換を伴う場合には波長変換後の波長を出力側のパスの波長として検出し、入力側のパスが波長変換を伴う場合には波長変換前の波長を入力側のパスの波長として検出するようにしている。
【００２５】
接続ノード検出部１１１は、自己のノード装置に現在設定されている光波パスの接続先のノード装置を検出するものである。
例えば、図１に示すネットワークの例のノード装置１０ｂにおいては、ノード装置１０ｃの情報を抽出する。
【００２６】
接続情報格納部１１２は、波長検出部１１０が検出した波長及び接続ノード検出部１１１が検出した接続先のノード装置からなる接続情報を格納するものであり、パス設定に必要なデータベースを構成している。
具体的には、図４に示すように、各ノード装置ごとに、出力側の波長及び入力側の波長並びに接続先のノード装置を対応づけて格納する。
【００２７】
接続情報送信部１１３は、接続情報格納部１１２が格納した接続情報をＮＭＳ端末２０に送信するものである。
なお、送信のタイミングは任意で設定することが可能であり、例えば、ＮＭＳ端末２０における所定操作による要求に応じて接続情報を送信するとよい。
また、ノード装置１０が障害検知センサを備える場合、一定の障害検知に応じて接続情報を送信するようにしても良い。
【００２８】
（ＮＭＳ端末２０）
図３は、本実施形態に係るＮＭＳ端末の構成を示したブロック図である。
ＮＭＳ端末２０は、ワークステーションなどの情報処理端末であり、図示しないキーボードやマウスなどの入力部、ディスプレイ等の表示部、パス設定データ等を格納する保存部などを備え、ＷＤＭ網の状態監視や分析を行うＮＭＳの中核を担っている。
特に、本実施形態に係るＮＭＳ端末２０は、このような機能に加え、各ノード装置１０とのデータの送受信を通して、ＮＭＳ端末２０がパス設定データを有していなくてもパス設定ができる構成となっている。
【００２９】
制御部２１０は、ＣＰＵ（Central  Processing  Unit）やＲＯＭ（Read  Only  Memory）からなり、ＮＭＳ端末２０の各部を統括的に制御するものである。
具体的には、ＲＯＭに格納されている各種プログラム（本発明の通信網管理プログラム含む）の実行を介して後述する各構成部に命令を行う。
接続情報受信部２２０は、通信インタフェース２３０を介して各ノード装置１０から光波パスに関する接続情報を受信するものである。
なお、受信した接続情報は、ＲＡＭなどのメモリに保持されるか、ハードディスクの所定格納エリアに保存され、パス設定データの生成の際に利用される。
【００３０】
パス設定データ生成部２２１は、接続情報受信部２２０が受信した接続情報にもとづき対象ノード装置に関するパス設定データを生成するものである。
例えば、図１に示すエンドツーエンドパスを再現する場合においては、図４に示す接続情報にもとづき、以下の規則にしたがってパス設定データを生成する。
【００３１】
（１）ノード装置１０ａ
図４に示すとおり、ＮＭＳ端末２０は、入力側の波長番号を検出できないためノード装置１０ａはパスの始点であることを認識する。そのうえで、波長番号λ１なる出力パスを認識することができる。また、同図に示すとおり、接続先ノードを示す装置接続情報を検出できないが、波長番号λ１なる出力パスにもとづき出力側のノードは１０ｂと認識することができるため、パス設定データ生成部２２１は、「ノード装置１０ａを始点としたノード装置１０ｂ向けのパス設定データ（λ１）」を生成する。
【００３２】
（２）ノード装置１０ｂ
同様にして、ＮＭＳ端末２０は、入力側の波長番号λ１及び出力側の波長番号λ１を検出することができるため、ノード装置１０ｂは中継ノードであることを認識する。つまり、入力側のパスと出力側のパスとを設定する必要がある。
また、波長番号λ１は、ノード装置１０ａの出力側の波長番号と同じであるため、パス設定データ生成部２２１は、入力側のパスとして「ノード装置１０ａ向けのパス設定データ（λ１）」を生成する。
一方、装置接続情報としてノード装置１０ｃが設定されているため、パス設定データ生成部２２１は、出力側のパスとして「ノード装置１０ｃ向けのパス設定データ（λ１）」を生成する。
【００３３】
（３）ノード装置１０ｃ
同様にして、ＮＭＳ端末２０は、入力側の波長番号λ１及び出力側の波長番号λ２を検出することができるため、ノード装置１０ｃは中継ノードであることを認識する。
また、入力側の波長番号λ１に対応して装置接続情報としてノード装置１０ｂが設定されているため、パス設定データ生成部２２１は、入力側のパスとして「ノード装置１０ｂ向けのパス設定データ（λ１）」を生成する。
一方、出力波長λ２のパスにもとづき出力側のノード装置は１０ｄと認識することができるため、パス設定データ生成部２２１は、出力側のパスとして「ノード装置１０ｄ向けのパス設定データ（λ２）」を生成する。
【００３４】
（４）ノード装置１０ｄ
同様にして、ＮＭＳ端末２０は、出力側の波長番号を検出できないため、ノード装置１０ｄは終点であることを認識する。
一方、入力側の波長番号λ２を検出することができ、これはノード装置１０ｃの出力側の波長番号と一致するため、パス設定データ生成部２２１は、入力側のパスとして「ノード装置１０ｃ向けのパス設定データ（λ２）」を生成する。
【００３５】
図３に示すパス設定データ送信部２２２は、パス設定データ生成部２２１が生成したパス設定データを対象のノード装置１０に送信するものである。
なお、送信されたパス設定データは、対象ノード装置１０のＮＭＳ  Ｉ／Ｆ部１４０を介して受信され、パス設定部１１４によって光波パスが設定される。
その結果、図１に示す元のエンドツーエンドパスが復元される。
【００３６】
次に、本実施形態に係る通信網管理方法について図面を参照しながら説明を行う。
図５は、本実施形態に係る通信網管理方法の手順を示したフローチャートである。
同図に示すとおり、本実施形態に係る通信網管理方法においては、まず、図１に示すようにエンドツーエンドパスが設定されていることを前提とする（Ｓ０）。
なお、ＮＭＳ端末２０は、このエンドツーエンドパスに係るパス設定データを一元的に保持しているものとする。
【００３７】
そのうえで、本実施形態に係るノード装置１０は、自己に設定された光波パスに関する接続情報を抽出する（Ｓ１）。
具体的には、波長検出部１１０がパスの波長を検出し、接続ノード検出部１１１がパス接続先のノード装置を検出する。
次いで、各ノード装置１０は、接続情報格納部１１２が、ステップＳ１で検出した接続情報を格納しておく（Ｓ２）。
【００３８】
ここで、ＮＭＳ端末２０が保持するパス設定データが、何らかの理由により消失したものとする（Ｓ３）。
ステップＳ３に対応して、各ノード装置１０の接続情報送信部１１３は、ステップＳ２において格納しておいた接続情報をＮＭＳ端末２０に送信する（Ｓ４）。
例えば、ＮＭＳ２０からの要求に応じ、各ノード装置１０の接続情報（波長情報及び装置接続情報）がＮＭＳ端末２０に対して送信される。
【００３９】
そして、ＮＭＳ端末２０は、接続情報受信部２２０が各ノード装置１０からの接続情報を受信し、パス設定データ生成部２２１がその接続情報にもとづいて消失した元のパス設定データを生成する（Ｓ５）。
なお、ステップＳ５において生成したデータはハードディスク等に保存することによって、ＮＭＳ端末２０が消失したパス設定データの復元は完了する。
【００４０】
次に、ステップＳ５において生成したパス設定データにもとづいてパスの設定を行うか否かを判断する（Ｓ６）。
これは、ＮＭＳデータの消失とともにパスそのものが消滅した場合を想定したものである。
例えば、災害や不正アクセスなどによるＷＤＭ網全体のシステムダウンを想定しており、このような場合、引き続きパスの再設定を行い、エンドツーエンドパスを早急に復旧させる。
ステップＳ６において、ノード装置１０にパスを設定する場合（Ｓ６：ＹＥＳ）、ＮＭＳ端末２０は、パス設定データ送信部２２２が、パス設定データを各ノード装置１０に送信する（Ｓ７）。
【００４１】
そして、対象のノード装置１０においては、パス設定部１１４が、パス設定データにもとづきパス設定を実行することによって（Ｓ８）、この通信管理方法の一連の処理は終了する。
これにより、システムダウン等していたＷＤＭ網は迅速に復旧することとなる。
なお、ステップＳ６において、ノード装置１０にパスを設定しない場合（Ｓ６：ＮＯ）でも、この通信網管理方法の処理は終了する。
【００４２】
以上説明したように、本実施形態の光通信網管理システム１によれば、各ノード装置１０が、自己に設定された光波パスに関する接続情報を自ら保有するようにしている。
そして、ＮＭＳ端末２０がパス設定データを消失した場合など、必要に応じてＮＭＳ端末２０にその接続情報を送信するようにしている。
【００４３】
このため、単一波長、複数波長に拘わらず、パス設定に必要なデータを容易にかつ迅速に復元できるようになっている。
また、復元したパス設定データにもとづいてパスを迅速に形成し、円滑にＷＤＭ網を再現できるようになっている。
さらに、ＮＭＳに何らかの不具合が発生し、保有するパス設定データの信頼性が維持できなくなったような場合、正規なパス設定データにリセットすることも可能である。
したがって本実施形態によれば、信頼性及び利便性に優れたＷＤＭ網の通信網管理システムを合理的に実現し、提供することが可能となる。
【００４４】
［第二実施形態］
次に、本発明の第二実施形態に係る通信網管理システム１ｂについて図面を参照しながら説明する。
図６は、本発明の第二実施形態に係る通信網管理システムの構成を示すネットワーク構成図である。
本実施形態の通信網管理システム１ｂは、第一実施形態と同様、ノード装置１０とＮＭＳ端末２０とから構成され、各装置の構成も同じである。
【００４５】
しかしながら、本実施形態に係る通信網管理システム１ｂは、中継するノード装置１０ｆにおいて波長の異なる複数の光波パスが存在する点で第一実施形態と異なる。
具体的には、図６のノード装置１０ｆに示すように、ノード装置１０ｅからの光波（波長番号λ３）をノード装置１０ｆの１０ｆ２側に属する波長変換手段１６０によって別の光波（波長番号λ４）に波長変換したうえでノード装置１０ｇに出力している。
【００４６】
そこで、本実施形態におけるパス設定データの生成の規則について図７を参照しながら説明を行う。
図７は、本発明の第二実施形態において各ノード装置の接続情報を示したテーブル図である。
【００４７】
（１）ノード装置１０ｅ
図７に示すとおり、ＮＭＳ端末２０は、入力側の波長番号を検出できないためノード装置１０ｅはパスの始点であることを認識する。そのうえで、波長番号λ３なる出力パスを認識することができる。また、同図に示すとおり、接続先ノードを示す装置接続情報を検出できないが、波長番号λ３なる出力パスにもとづき出力側のノードは１０ｆと認識することができるため、パス設定データ生成部２２１は、「ノード装置１０ｅを始点としたノード装置１０ｆ向けのパス設定データ（λ３）」を生成する。
【００４８】
（２）ノード装置１０ｆ
同様にして、ＮＭＳ端末２０は、二組の接続情報を検出することができ、具体的には、一組目の接続情報として入力側の波長番号λ３及び出力側の波長番号λ３を検出することができ、また、二組目の接続情報として入力側の波長番号λ３及び出力側の波長番号λ４を検出することができる。
このため、ノード装置１０ｆは中継ノードであることを認識するとともに、一組目の接続情報に対応する入出力パスと二組目の接続情報に対応する入出力パスの存在を認識することができる。
また、二組目の接続情報に関し、入力側の波長番号λ３と出力側の波長番号λ４が異なるため、ここで波長変換が行われることを認識することもできる。
このような場合、一組目の接続情報を仮想のノード装置１０ｆ１の接続情報と、二組目の接続情報を仮想のノード装置１０ｆ２の接続情報とみなしてそれぞれについてパス設定データを生成する。
【００４９】
（２ａ）ノード装置１０ｆ１
ここで、ＮＭＳ端末２０は、ノード装置１０ｆ１の接続情報に着目すると、入力側の波長番号λ３は、ノード装置１０ｅの出力側の波長番号と同じであり、また、装置接続情報としてノード装置１０ｅを検出できるため、パス設定データ生成部２２１は、入力側のパスとして「ノード装置１０ｅからのパス設定データ（λ３）」を生成する。
一方、出力側の波長番号λ３は、ノード装置１０ｆ２の接続情報のうち入力側の波長番号λ３と同一であるため、パス設定データ生成部２２１は、出力側のパスとして「ノード装置１０ｆ２向けのパス設定データ（λ３）」を生成する。
【００５０】
（２ｂ）ノード装置１０ｆ２
同様にしてＮＭＳ端末２０は、ノード装置１０ｆ２に着目すると、入力側の波長番号λ３は、ノード装置１０ｆ１の出力側の波長番号λ３と同じであることを認識することができるため、パス設定データ生成部２２１は、入力側のパスとして「ノード装置１０ｆ１からのパス設定データ（λ３）」を生成する。
一方、出力波長λ４のパス及び装置接続情報から出力側のノード装置は１０ｇと認識することができるため、パス設定データ生成部２２１は、出力側のパスとして「ノード装置１０ｇ向けのパス設定データ（λ４）」を生成する。
【００５１】
（３）ノード装置１０ｇ
同様にして、ＮＭＳ端末２０は、出力側の波長番号を検出できないため、ノード装置１０ｇは終点であることを認識する。
一方、入力側の波長番号λ４を検出することができ、これはノード装置１０ｆ２の出力側の波長番号と一致するため、パス設定データ生成部２２１は、入力側のパスとして「ノード装置１０ｆ２からのパス設定データ（λ４）」を生成する。
【００５２】
以上説明したように、本実施形態の通信網管理システム１によれば、ノード装置１０の内部に波長変換を伴う複数パスの復元についても問題なく対応することができる。
このため、パスの形態に関わらず第一実施形態と同様の作用・効果を奏することができる。
【００５３】
以上、本発明の通信網管理システムについて、好ましい実施形態を示して説明したが、本発明にかかる通信網管理システムは、上述した実施形態にのみ限定されるものではなく、本発明の範囲で種々の変更実施が可能であることは言うまでもない。
例えば、本発明のＷＤＭ網は、エンドツーエンドパスではなくリング型又はこれらを組み合わせた構成であってもよく、これにより、様々な態様のネットワークに対応することができる。
【産業上の利用可能性】
【００５４】
本発明は、波長分割多重装置を備えた光ネットワークに好適に利用することができる。
【図面の簡単な説明】
【００５５】
【図１】本発明の第一実施形態に係る通信網管理システム１の構成を示すネットワーク構成図である。
【図２】本発明の第一実施形態に係るノード装置１０の構成を示すブロック図である。
【図３】本発明の第一実施形態に係るＮＭＳ端末の構成を示したブロック図である。
【図４】図１に示すエンドツーエンドパスのパス接続情報を示したデータテーブルである。
【図５】本発明の第一実施形態に係る通信網管理方法の手順を示したフローチャートである。
【図６】本発明の第二実施形態に係る通信網管理システムの構成を示すネットワーク構成図である。
【図７】図６に示すエンドツーエンドパスのパス接続情報を示したデータテーブルである。
【図８】一つの光波パスで構成されるエンドツーエンドパスの例を示したネットワーク構成図である。
【図９】図８で示すエンドツーエンドパスのパス接続情報を示したデータテーブルである。
【図１０】複数の光波パスで構成されるエンドツーエンドパスの例を示したネットワーク構成図である。
【図１１】図１０で示すエンドツーエンドパスのパス接続情報を示したデータテーブルである。
【符号の説明】
【００５６】
１  通信網管理システム
１０  ノード装置
１１０  波長検出部
１１１  接続ノード検出部
１１２  接続情報格納部
１１３  接続情報送信部
１１４  パス設定部
２０  ＮＭＳ端末
２２０  接続情報受信部
２２１  パス設定データ生成部
２２２パス設定データ送信部
【図１】
2010141523.tif 000003
【図２】
2010141523.tif 000004
【図３】
2010141523.tif 000005
【図４】
2010141523.tif 000006
【図５】
2010141523.tif 000007
【図６】
2010141523.tif 000008
【図７】
2010141523.tif 000009
【図８】
2010141523.tif 000010
【図９】
2010141523.tif 000011
【図１０】
2010141523.tif 000012
【図１１】
2010141523.tif 000013